(57)【特許請求の範囲】
【請求項１】
操作ハンドル１５の操作によって昇降係合ロッド１８が建物の戸枠側の受け具４に係脱する開閉戸Ｙの昇降係合ロッド用係止機構Ｚに於いて、前記開閉戸Ｙに、受け具４に対して係合解消状態の昇降係合ロッド１８を、開閉戸を開いた時でも係合解消のままの状態を保持すると共に、中央部に開口部分５３を有する枠状の可動係止体５１を設け、この可動係止体は、戸の端部に固定的に設けられた案内部材３５に水平方向にスライド可能に支持され、かつ該可動係止体は、その開口部分５３を基準として枠状の後端部５１ａに設けられた係合部６１が開口部分５３を貫通した昇降係合ロッドの被係合部１９に係合するように、可動係止体用の付勢バネ５９により付勢されおり、一方、閉戸時に前記可動係止体の枠状の先端部５１ｂが建物の垂直壁面８に直接押圧状態に当接すると、可動係止体の係合部６１は、昇降係合ロッドの被係合部１９に対して係合解除の状態になることを特徴とする開閉戸の昇降係合ロッド用係止機構。
【請求項２】
請求項１に於いて、可動係止体は、底壁に連設する垂直壁３８を有する案内部材３５と、該案内部材に嵌合する支持枠部材との二物品の結合によって形成された収納空間に水平移動可能に設けられていることを特徴とする開閉戸の昇降係合ロッド用係止機構。
【請求項３】
請求項１に於いて、可動係止体の係合部は、枠状の後端部に連設する係止脚部６１であることを特徴とする開閉戸の昇降係合ロッド用係止機構。
【請求項４】
請求項１に於いて、案内部材と、この案内部材に支持される可動係止体と、この可動係止体をカバーするように案内部材に一体的に設けられた支持枠部材は、縦框の内部に設けられており、しかも、前記可動係止体の先端部には、建物の垂直壁面に当接する当り滑車が設けられていることを特徴とする開閉戸の昇降係合ロッド用係止機構。
【請求項５】
操作ハンドル１５の操作によって昇降係合ロッド１８が建物の戸枠側の受け具４に係脱する開閉戸Ｙの昇降係合ロッド用係止機構Ｚに於いて、前記開閉戸Ｙの縦框１１に、受け具４に対して係合解消状態の昇降係合ロッド１８を、開閉戸を開いた時でも係合解消のままの状態を保持すると共に、中央部に開口部分５３を有する枠状の可動係止体５１を設け、この可動係止体は、戸の端部に固定的に設けられた案内部材３５に水平方向にスライド可能に支持され、かつ該可動係止体は、その開口部分５３を基準として枠状の後端部５１ａに設けられた係合部が開口部分５３を貫通した昇降係合ロッドの被係合部１９に係合するように、可動係止体用の付勢バネ５９により付勢されており、一方、閉戸時に前記可動係止体の枠状の先端部５１ｂが建物の垂直壁面８に直接押圧状態に当接すると、可動係止体の係合部６１は、昇降係合ロッドの被係合部１９に対して係合解除の状態になり、さらに、前記縦框１１は、補助框２１と、この補助框２１の外壁面に該補助框２１の上端部が突出するように固定された框本体２２とから成ることを特徴とする開閉戸の昇降係合ロッド用係止機構。
【請求項６】
請求項５に於いて、補助框２１の端部には、端部内に設けられた支持枠部材を覆うように昇降係合ロッド用貫通孔を有する固定キャップ３０が冠着されていることを特徴とする開閉戸の昇降係合ロッド用係止機構。
【発明の詳細な説明】
【０００１】
【発明の属する技術分野】
本発明は、開閉戸における昇降係合ロッドの係止機構に関し、特に建物の戸枠側の受け具に対して係脱する開閉戸側の昇降係合ロッドを係止する係止機構に適合する。
【０００２】
【従来の技術】
水平方向へ開閉する開閉戸の中には操作ハンドルの操作により、戸枠側の受け具（単なる凹所も含む）に対して係脱する上・下の昇降係合ロッド、或いは一方（上方）の昇降係合ロッドが設けられている。
【０００３】
例えばバルコニーに面して部屋の出入り口に設けられる折戸には、縦框の中央部に内側ハンドルが設けられ、閉戸時、内側ハンドルを回転操作すると、縦框内に設けられた連結棒を介して縦框の上端部から突出し、かつ、戸枠側の受け具に係合する昇降係合ロッドが設けられている。
【０００４】
従来、操作ハンドルを有するこの種の折戸には、グレモン錠と称される錠前が設けられているが、グレモン錠では、操作ハンドルを、例えば下方方向へ回転操作すると、昇降係合ロッドが受け具に係合する突出（上方）方向へ移動し、一方、上方方向へ回転操作すると、昇降係合ロッドは縦框（内部）方向へ後退する。すなわち、折戸の昇降係合ロッドは、閉戸時に操作ハンドルを下方方向へ回転すると、錠前、連結棒を介して昇降係合ロッドが上昇し、建物の戸枠側の受け具に係合する。
【０００５】
ところで、グレモン錠を備えた開閉戸に於いては、閉戸時以外、つまり、戸を開いた時に昇降係合ロッドが框から著しく突出すると、当然のことながら昇降係合ロッドが障害となって戸を閉めることができない。もし、無理に戸を閉め、或いは不注意により戸を力一杯閉めると、昇降係合ロッドが損傷するか、又は戸枠が変形ないし破損してしまう。そこで、このような事態を防止するためには、不必要な時（戸を開いた時）に昇降係合ロッドを常時縦框（内部）方向へ後退させておくか、操作ハンドルが簡単に動かないようにする必要がある。
【０００６】
【発明が解決しようとする課題】
本発明は、建物の戸枠側の受け具に対して係脱する昇降係合ロッドを備えた開閉戸の問題点に鑑み、第１の目的は、戸を閉める際に、不注意により、昇降係合ロッドが損傷し、或いは戸枠が変形ないし破損してしまうような事態を未然に防止することである。第２の目的は、係止機構を構成する各部材を合理的に組み合わせ、戸に簡単に装着することができることである。第３の目的は、縦框を合理的に構成し、框の端部に主たる構成部材を組み込むことができることである。
【０００７】
【課題を解決するための手段】
本発明の開閉戸の昇降係合ロッド用係止機構は、操作ハンドル１５の操作によって昇降係合ロッド１８が建物の戸枠側の受け具４に係脱する開閉戸Ｙの昇降係合ロッド用係止機構Ｚに於いて、前記開閉戸Ｙに、受け具４に対して係合解消状態の昇降係合ロッド１８を、開閉戸を開いた時でも係合解消のままの状態を保持すると共に、中央部に開口部分５３を有する枠状の可動係止体５１を設け、この可動係止体は、戸の端部に固定的に設けられた案内部材３５に水平方向にスライド可能に支持され、かつ該可動係止体は、その開口部分５３を基準として枠状の後端部５１ａに設けられた係合部６１が開口部分５３を貫通した昇降係合ロッドの被係合部１９に係合するように、可動係止体用の付勢バネ５９により付勢されおり、一方、閉戸時に前記可動係止体の枠状の先端部５１ｂが建物の垂直壁面８に直接押圧状態に当接すると、可動係止体の係合部６１は、昇降係合ロッドの被係合部１９に対して係合解除の状態になることを特徴とする。
【０００８】
また本発明の開閉戸の昇降係合ロッド用係止機構は、操作ハンドル１５の操作によって昇降係合ロッド１８が建物の戸枠側の受け具４に係脱する開閉戸Ｙの昇降係合ロッド用係止機構Ｚに於いて、前記開閉戸Ｙの縦框１１に、受け具４に対して係合解消状態の昇降係合ロッド１８を、開閉戸を開いた時でも係合解消のままの状態を保持すると共に、中央部に開口部分５３を有する枠状の可動係止体５１を設け、この可動係止体は、戸の端部に固定的に設けられた案内部材３５に水平方向にスライド可能に支持され、かつ該可動係止体は、その開口部分５３を基準として枠状の後端部５１ａに設けられた係合部が開口部分５３を貫通した昇降係合ロッドの被係合部１９に係合するように、可動係止体用の付勢バネ５９により付勢されており、一方、閉戸時に前記可動係止体の枠状の先端部５１ｂが建物の垂直壁面８に直接押圧状態に当接すると、可動係止体の係合部６１は、昇降係合ロッドの被係合部１９に対して係合解除の状態になり、さらに、前記縦框１１は、補助框２１と、この補助框２１の外壁面に該補助框２１の上端部が突出するように固定された框本体２２とから成ることを特徴とする。
【０００９】
【発明の実施の形態】
図１乃至図１０は、本発明の一実施例を示す各説明図である。まずＸは建物、１は建物の居間などの室内、２はバルコニーなどの室外、３は建物の出入口に設けられた戸枠上部、４は戸枠内に設けられた昇降係合ロッド用受け具、５は建物の一部を構成する横枠、６は受け具に内装されたガイドローラ、７は昇降係合ロッド用挿入開口、８は横枠の垂直壁面である。
【００１０】
前記戸枠上部３は、建物の一部を構成するから、ここで建物の出入口の上部側を意味する。また昇降係合ロッド用受け具４は、一般に金属製の箱であるが、後述する昇降係合ロッドの最上端部を受け入れる機能さえあれば、建物の一部に直接設けられた単なる下向き凹所であっても良い。要は昇降係合ロッドが係合可能であれば良い。また横枠５は戸枠の一部であるが、この横枠の垂直壁面８は、建物そのものの垂直壁面であっても良い。したがって、取り付ける前は運搬可能な動産（戸枠、各種サッシ）であっても、建物に一体的に取り付けると、建物の一部となる。
【００１１】
次にＹは建物の出入口に開閉可能に設けられた開閉戸である。開閉戸Ｙは、本実施例では図２で示すようにバルコニーなどの室外２に面している出入口に取り付けられた折戸である。この折戸はドアなしタイプ、ドア付タイプなど色々があるが、説明の便宜上、ここではドアがある、なしに関係なく、二枚の戸１０，１０が図示しない蝶番を介して連結されている一例を示す。戸１０は、周知のように、縦框１１、横框１２、框内のドアガラス１３を構成要素としている。なお、開閉戸Ｙには、折戸の他、普通一般の水平回転タイプの戸も含まれる。
【００１２】
しかして、戸１０の蝶番が設けられた方の縦框１１の内側には、図１で示すように操作ハンドルとしての内側ハンドル１５が回転可能に設けられている。また縦框１１の内部には錠前の構成部材が適宜に設けられている。錠前の具体的な内部構造については、発明の特定要件ではないので割愛するが、錠前の一例としては、上方棒、リンクなどを備えるグレモン錠（当業者の用語）１６が用いられている。
【００１３】
本実施例のグレモン錠１６は、内側ハンドル１５の自由端部１５ａが下向きの時は、上方棒１７の昇降係合ロッド１８が上部の受け具４に係合し（ロック状態）、一方、内側ハンドル１５が１８０度回転し、その自由端部１５ａが上向きとなった場合に、昇降係合ロッド１８が上部の受け具４から離れる（ロック解消状態）。
【００１４】
Ｚは開閉戸Ｙの縦框１１に設けられた昇降係合ロッド用係止機構である。この昇降係合ロッド用係止機構Ｚは、本実施例では縦框１１の上端部に装着されている。
【００１５】
まず図３を参照にして「縦框１１」について説明する。縦框１１は、補助框２１と、この補助框２１の外壁面に該補助框２１の上端部が突出するように固定された端面コ字型の框本体２２とから成る。
補助框２１の上端部の前壁２１ａと後壁２１ｂには、それぞれ対向的に切欠部２３，２３が形成されている。また補助框２１の上端部の左右側壁２１ｃ、２１ｄには、それぞれ固着具用のネジ孔２４，２４が形成されている。
【００１６】
補助框２１の上端部は開口２５し（上壁なし）、該開口２５と前記切欠部２３，２３は連通している。この補助框２１の上端開口２５と前述した受け具４の挿入開口７は、図１で示すように戸１０を閉めた際に固定キャップ３０の貫通孔３１を介して符合する。
【００１７】
補助框２１内には上方棒１７に一体的に連結された昇降係合ロッド１８が昇降動可能に設けられている。但し、本実施例では、昇降係合ロッド１８の上端面１８ａは補助框２１の上端面、或いは前記貫通孔３１から多少突出するように設けられている。
【００１８】
一方、框本体２２の前壁２２ａには取り付け座２６を介して内側ハンドル１５が１８０度回動可能に設けられている。框本体２２の前壁２２ａと前記補助框２１の前壁２１ａとの間には、所要の間隙２７が設定されている。すなわち、框本体２２の左右の側壁２２ｃ，２２ｄは、前記前壁２２ａが室内２側に隙間２７を介して突出するように補助框２１の左右の側壁２１ｃ，２１ｄに固定されている。
【００１９】
次に係止機構Ｚの構成部材の一つである「固定キャップ３０」の構成について説明する。固定キャップ３０は補助框２１の上端部に冠着される。３１は上壁３０ａに形成された貫通孔。３２は上壁３０ａの内端部側に形成された湾曲状の受入部３２で、この受入部３２は前壁３０ｂに形成したキャップ切欠部３３と連通している。したがって、固定キャップ３０の一端部側の壁は切り欠きされた格好となっている。
【００２０】
なお、３０ｃは前壁３０ｂを除いた周側壁で、この周側壁３０ｃには固着具の頭部が位置する小切欠３４が形成されている。もちろん、小切欠３４は小孔であっても良い。
【００２１】
次に係止機構Ｚの他の構成部材を説明する。他の構成部材は、補助框２１の上端部内に組み込まれる。図５は他の構成部材の分解斜視図である。本実施例では、「三個」の部材に大別できる。
【００２２】
まず、第１の部材は案内部材３５である。この案内部材３５は、補助框２１に支持枠部材４５を介して固定的に内装され、かつ、上端面で可動係止体５１を案内する機能を有している。
すなわち、３６は中央部に小突起状の筒状部３７を有する底壁、３８は底壁３６の先端面に連設する上端面チャンネル形状の第１案内垂直壁、３９は底壁３６の後端面に連設する第２案内垂直壁である。
【００２３】
第２案内垂直壁３９は、第１案内垂直壁３８に対して多少離間していると共に、そのガイド機能を有する上端面３９ａは、同じくガイド機能を有する第１案内垂直壁３８の上端面３８ａよりも多少低く設定されている。
また第２案内垂直壁３９は、後壁の相当する部分の中央部に上端面から下端部寄りの部位まで逃し用切欠部４０を有している。したがって、第２案内垂直壁３９の上端面３９ａは平面視対称的なＬ型端面となっている。
【００２４】
さらに、第１案内垂直壁３８及び第２案内垂直壁３９の対向側壁部分には、複数本の連結固着具４１用のネジ孔４２がそれぞれ（合計４個）形成されている。
第２の部材は支持枠部材４５である。この支持枠部材４５は複数本の連結固着具４１を介して第１は案内部材３５をしっかりと把持する。しかして、４６は上壁４５ａに形成された貫通支持孔で、この貫通支持孔４６は固定キャップ３０の貫通孔３１と符合する。貫通支持孔４６は真円形状ではなく、その内周面の後部側がやや直線状である。
【００２５】
４７は上壁４５ａの内端部側に形成された湾曲状の受入支持部で、この受入支持部４７は固定キャップ３０の受入部３２と符合する。４５ｂ，４５ｂは上壁４５ａの両端部から垂下する左右の側壁で、これらの側壁は案内部材３５の第１案内垂直壁３８並びに第２案内垂直壁３９の側壁部分の外側に対面する。支持枠部材４５の左右の側壁４５ｂ，４５ｂも案内部材３５と同様な連結固定具４１用のネジ孔４８を有する。
【００２６】
図６で示すように案内部材３５に下向きコ字型形状の支持枠部材４５を被せると、案内部材３５の第１案内垂直壁３８の上端面３８ａと支持枠部材４５の上壁４５ａの内壁面との間には、可動係止体５１が収まるのに必要な収納空間５２が出来る。
支持枠部材４５の左右の側壁４５ｂ，４５ｂには、前述した補助框２１の側壁２１ｃ，２１ｄのネジ孔２４と符合する固着具５０用孔４９，４９が形成されている。
【００２７】
第３の部材は可動係止体５１である。この可動係止体５１は、本実施例では案内部材３５と支持枠部材４５の組み合わせによって形成された収納空間５２に水平方向にスライド可能（進退動可能）に設けられている。ここで、図５及び図７を参照にして、可動係止体５１の形状に関して簡単に説明する。可動係止体５１は、中央部に昇降係合ロッド１８用の開口部分５３を有する枠状に形成され、この開口部分５３を基準として枠状の後端部５１ａには係合部６１が下方へと連設し、一方、枠状の先端部５１ｂには当り滑車５８が軸支されている。
【００２８】
図４及び図６は、可動係止体５１が案内部材３５の上端面３８ａ，３９ａにスライド可能に乗っかっている状態を示している。ここで図４、図９等を参照にすると、可動係止体５１の当り滑車を有する先端部５１ｂが著しく突出してしない場合、換言すれば係止部としての係止後端部５１ａが案内部材３５の逃し用切欠部４０に位置している場合には、係合ロッド１８はその上端部が可動係止体５１や支持部材４５の上壁から著しく突出可能である（受け具４に係合可能の意味）。
【００２９】
ところで、本実施例では、係止機能を有する後端部５１ａや先端部５１ｂに連設する左右の摺接部分５１ｃは、前記上端面３８ａ，３９ａに乗っかっているが、前記先端部５１ｂが著しく突出してしない場合には、可動係止体５１の段差面５４は、ストッパー機能を有する第１案内垂直壁３８の垂直端面３８ｂよりも離れている。
【００３０】
また、突起部分を有する先端部５１ｂと横杆状の係止後端部５１ａとの間は幅広の開口部分５３となっており、図７、図９で示すように枠状の開口部分５３から昇降係合ロッド１８の上端部１８ｂが貫通する。昇降係合ロッド１８の上端部１８ｂの後部側は、小径の上端面１８ａの縁からテーパ面と垂直面を連続的に繰り返して次第に大径となり、該大径部との境部分に段差状の被係合部１９を有している。この被係合部１９に可動係止体５１の係止部、本実施例では後端部５１ａに連設する逆Ｔ字型状の係止脚部６１が係脱する。
【００３１】
さらに、可動係止体５１の先端部５１ｂには小軸孔５５が形成されており、この小軸孔５５を貫通する鋲状枢支軸５６、枢支軸５６を所定位置に固定するリング状固定具５７を介して合成樹脂製の当り滑車５８が設けられている。そして、枢支軸５６には可動係止体５１を突出方向（横枠８に当る方向）に付勢する付勢バネ５９が巻装され、この付勢バネ５９の両端部５９ａ，５９ａは支持枠部材４５の左右の側壁４５ｂ，４５ｂの前端面に当接する。
【００３２】
また可動係止体５１の後端部５１ａの中央部には案内部材３５の逃し切欠部４０に遊嵌合する前述の係止脚部６１が設けられている。そして、この係止脚部６１の下端部は内側に折り曲げ形成され、案内部材の第２案内垂直壁３９の下部内壁面と当接可能な係合部分と成っている。
【００３３】
上記構成に於いて、係止機構Ｚを戸１０の縦框１１に装着する場合について説明する。係止機構Ｚは、主に固定キャップ３０、案内部材３５、支持枠部材４５、それに可動係止体５１から成る。
【００３４】
固定キャップ３０は最後に縦框１１の上端部に冠着させるから、まず案内部材３５と支持枠部材４５を組み合わせる。この場合、案内部材３５の上端面３８ａ，３９ａに予め可動係止体５１を載せた後に、該可動係止体５１をカバーするように支持枠部材４５を案内部材３５に外嵌合させる。
【００３５】
案内部材３５に支持枠部材４５を嵌合させたならば、連結固着具４１を支持枠部材４５のネジ孔４８から入れる。連結固着具４１は案内部材３５のネジ孔４２に螺合するから、案内部材３５は支持枠部材４５と一体になる。この場合可動係止体５１の付勢バネ５９の両端部５９ａ，５９ａは、支持枠部材４５の前端面に当接しているので、可動係止体３５は案内部材３５の垂直端面３８ｂに段差面５４が当接する所まで付勢バネ５９のバネ力によって前方に突出する。
【００３６】
次に組み合わせた「三個」の部材３５，４５，５１を縦框１１の上端部内に装着する場合には、戸１０の昇降係合ロッド１８を図６，図７で示すように貫通させる必要があるので、可動係止体３５の先端部５１ｂを押した状態で「三個」の部材に昇降係合ロッド１８を貫通させる。
昇降係合ロッド１８の上端部が支持枠部材４５の貫通支持孔４６を貫通したならば、支持枠部材４５の孔４９と縦框１１のネジ穴２４とが一致した所で固着具５０を各孔に通し、縦框１１に支持部材４５を取り外し可能に固定する。これにより係止機構Ｚの可動係止体５１は戸１０の昇降係合ロッド１８を係脱可能な状態となる。
【００３７】
次に作用について説明する。図１で示すように、内側ハンドル１５の自由端部１５ａが下向きの時、上方棒１７の昇降係合ロッド１８は上部の受け具４に係合している。
【００３８】
つまり、戸１０の閉戸時、昇降係合ロッド１８は固定キャップ３０の上壁３０ａから著しく突出し、上端面１８ａは上部の受け具４の中に入り込んでいる。この時係止機構Ｚの当り滑車５８は建物Ｘの横枠５の垂直壁面８に直接押された状態で当っているので、可動係止体５１は付勢バネ５９のバネ力に抗して案内部材内に後退している（図４、図９）。このような場合には可動係止体５１の係止脚部６１は昇降係合ロッド１８の被係合部１９から離れている。
【００３９】
そこで、今仮に開閉戸Ｙを室外２側へ開くために、内側ハンドル１５を１８０度回転する。内側ハンドル１５を回転し、その自由端部１５ａが上向きとなると、昇降係合ロッド１８は上部の受け具４から離れる（係合解消状態）。
そうすると、昇降係合ロッド１８の被係合部１９の位置も下がり、段差状の被係合部１９が可動係止体５１の係止脚部６１と対向状態になる。そこで、戸１０が開くと、当り滑車５８は建物Ｘの垂直壁面８から離れるので、支持枠部材４５と案内部材３５の両方に案内されながら、かつ、付勢バネ５９のバネ力により、図７で示すように矢印Ａ方向へと飛び出す。
【００４０】
その結果、可動係止体５１の係止脚部６１が昇降係合ロッド１８の被係合部１９に係合する（図１０参照）。したがって、戸１０を開いている時、昇降係合ロッド１８の上端面１８ａは、受け具４或いは戸枠上部３に衝突しない所まで下がり、かつ、下がった状態で可動係止体５１に常に係止されている。この時、本実施例では内側ハンドル１５を不用意に下げることはできない。
【００４１】
一方、内側ハンドル１５の自由端部１５ａが上向きのままの状態で開閉戸Ｙを閉めると、前述したように当り滑車５８は建物Ｘの横枠５の垂直壁面８に押圧されるので、可動係止体５１の係止脚部６１は昇降係合ロッド１８の被係合部１９から離れる。そこで、内側ハンドル１５を１８０度回して戻すと、図１で示したようなロック状態となる。
【００４２】
【実施例】
本実施例では縦框１１の上端部に昇降係合ロッド用係止機構Ｚを装着した一例で説明したが、例えば内側ハンドルか外側ハンドルかを問わず、操作ハンドルの操作によって、下方棒の昇降係合ロッドが建物の下部受け具（単なる凹所も含まれる）に係脱する場合には、縦框１１の下端部にも装着しても良い。
【００４３】
【発明の効果】
以上の説明から明らかなように、本発明にあっては、次に列挙するような作用・効果がある。
（１）戸を開いた時には、框内に後退（下降）した昇降係合ロッドが可動係止体に常時係止されている。これにより、操作ハンドルを間接的にロックすることができる。したがって、戸を開いている時に不用意（不注意）に昇降係合ロッドが突出しないから、戸を閉める際に、昇降係合ロッドが損傷し、或いは戸枠が変形ないし破損してしまうような事態を未然に防止することができる。
（２）案内部材３５、支持枠部材４５、可動係止体５１の「三個の部材」を合理的に組み合わせることができる。
（３）「三個」の部材を縦框に装着する場合には、これらの部材を予め結合し、かつ、縦框の端部に嵌め合わせるようにして固定するので、係止機構を構成する各部材を、戸に簡単に装着することができる。
（４）縦框が、框本体と、この框本体の外壁面に該框本体の上端部が突出するように固定された補助縦框とから成る場合には、縦框内に主たる部材を合理的に組み込むことができる。
（５）前項において、框本体の端部に、端部内に設けられた支持枠部材を覆うように昇降係合ロッド用貫通孔を有する固定キャップが冠着されている実施例の場合には、中空状態の縦框内に雨やゴミが入り難い。
（６）可動係止体が、閉戸時、建物の垂直壁面に衝突する当り滑車を備えている場合には、建物垂直壁面を傷が付き難い。また、開閉戸が折戸である場合にはスムースに開閉する。
【図面の簡単な説明】
図１乃至図１０は本発明の一実施例を示す各概略説明図。
【図１】建物、開閉戸、係止機構の位置関係を示す概略説明図。
【図２】実施形態の一例（折戸）を示す概略説明図。
【図３】内側ハンドルを備えた縦框と昇降係合ロッドと固定キャップを示す概略斜視図。
【図４】案内部材に可動係止体を載せた状態の概略説明図。
【図５】係止機構を構成する案内部材、可動係止体、支持枠部材の各分解斜視図（固定キャップを除く）。
【図６】案内部材、可動係止体、支持枠部材を組み合わせた場合の概略説明図。
【図７】斜視から可動係止体と昇降係合ロッドとの係脱関係を示す概略説明図。
【図８】平面から可動係止体と昇降係合ロッドとの係脱関係を示す概略説明図。
【図９】閉戸時に於いて、内側ハンドルと昇降係合ロッドとの位置関係を示す概略断面説明図。
【図１０】戸が開いた場合に於いて、内側ハンドルと昇降係合ロッドとの位置関係を示す概略断面説明図。
【符号の説明】
Ｘ…建物、Ｙ…開閉戸、Ｚ…係止機構、１…室内、２…室外、３…戸枠上部、４…受け具、５…横枠、６…ガイドローラ、７…挿入開口、８…垂直壁面、１０…戸、１１…縦框、１５…操作ハンドル、１６…錠前、１７…上方棒、１８…昇降係合ロッド、１８ａ…上端面、１８ｂ…上端部、１９…被係合部、２１…補助框、２１ａ…前壁、２１ｂ…後壁、２１ｃ…左側壁、２１ｄ…右側壁、２２…框本体２２ａ…前壁、２１ｂ…後壁、２１ｃ…左側壁、２１ｄ…右側壁、２３…切欠部、２４…ネジ孔、２５…開口、２６…取り付け座、２７…間隙、３０…固定キャップ、３１…貫通孔、３２…受入部、３３…キャップ切欠部、３５…案内部材、３６…底壁、３８…第１案内垂直、３９…第２案内垂直壁、３８ａ，３９ａ…上端面、３８ｂ…垂直端面、４０…逃し用切欠部、４１…連結固着具、４２，４８…ネジ孔、４５…支持枠部材、４５ａ…上壁、４５ｂ…左右の側壁、４６…貫通支持孔、４７…受入支持部、４９…固着具用孔、５０…固着具、５１…可動係止体、５１ａ…後端部、５１ｂ…先端部、５１ｃ…左右の段差部分、５２…収納空間、５３…開口部分、５４…段差面、５５…小軸孔、５６…枢支軸、５８…当り滑車、５９…付勢バネ、６１…係止脚部。
【図１】
0004079310.tif 000002
【図２】
0004079310.tif 000003
【図３】
0004079310.tif 000004
【図４】
0004079310.tif 000005
【図５】
0004079310.tif 000006
【図６】
0004079310.tif 000007
【図７】
0004079310.tif 000008
【図８】
0004079310.tif 000009
【図９】
0004079310.tif 000010
【図１０】
0004079310.tif 000011